(57)【要約】【課題】落水時の姿勢制御とともに表面の平滑性をも有する救命胴衣を提供する。【解決手段】救命胴衣１の表地２と裏地３の間に挟んだ浮力材４をくり抜いて凹部４ａを形成し、発信器１４をその中に収納する。表地２と裏地３の凹部４ａに対応する部位の中央それぞれに開口を設け、ジップファスナー１９、２０を縫い付け、表地２側、裏地３側の両方から凹部４ａ内に物や手を出し入れできるようにする。ジップファスナー１９、２０を用いることで、救命胴衣１としての表面の平滑性が増し、作業の邪魔になる突起や引っ掛かりをほとんど無くせる。また発信器１４は裏地３を介して着用者の身体に近接し、それによって発信器１４が内蔵し、あるいは一緒に収納する電池が着用者の体温により暖められ、電池の出力特性が向上する。【選択図】　　　　図１
2004017806.tif 000002
【特許請求の範囲】
【請求項１】
表地と裏地との間に浮力材を介在させてなる救命胴衣において、上記浮力材に、発信器、胴衣灯、電池等の収容部とし得る切り欠き部を形成してなることを特徴とする救命胴衣。
【請求項２】
表地と裏地との間に浮力材を介在させてなる救命胴衣において、上記浮力材に、発信器、胴衣灯、電池等の収容部とし得る凹部を形成してなることを特徴とする救命胴衣。
【請求項３】
請求項１または２の救命胴衣において、上記表地や裏地の上記切り欠き部との対応部位に上記切り欠き部に通ずる開口部を形成してなることを特徴とする救命胴衣。
【請求項４】
請求項３の救命胴衣において、上記表地や裏地の上記切り欠き部との対応部位にポケット部を設け、該ポケット部内に上記開口部を形成してなることを特徴とする救命胴衣。
【請求項５】
請求項２または３の救命胴衣において、上記開口部に、開閉用のジップファスナーを設けたことを特徴とする救命胴衣。
【発明の詳細な説明】
【０００１】
【発明の属する技術分野】
本発明は、水上、海上での作業時等に着用する救命胴衣に関する。
【０００２】
【従来の技術及び発明が解決しようとする課題】
従来、救命胴衣においては、防水性、防寒性はもちろんながら、落水時の姿勢の向きの変更しやすさも求められてきている。すなわち、発信器や電池の作動、胴衣灯の取り出し等がうまく行われる姿勢を落水者がすぐに取り得る救命胴衣が望まれている。救命胴衣については周知のように種々の提案がなされているが、発信器、胴衣灯、電池等についての上述のような課題を解決できるものは本願発明者等の知るところでは存在していなかった。
【０００３】
また救命胴衣を着用した状態で作業することが多い漁船員等からは、突起や引っ掛かりのない、できるだけ表面が平滑なものが求められている。
【０００４】
本発明は、上記従来の問題点にかんがみてなしたもので、落水時の姿勢制御とともに表面の平滑性をも有する救命胴衣を提供することを目的とする。
【０００５】
【課題を解決するための手段】
本発明の救命胴衣のうち請求項１に係るものは、上記目的を達成するために、表地と裏地との間に浮力材を介在させてなる救命胴衣において、上記浮力材に、発信器、胴衣灯、電池等の収容部とし得る切り欠き部を形成してなることを特徴とする。
【０００６】
同請求項２に係るものは、上記目的を達成するために、表地と裏地との間に浮力材を介在させてなる救命胴衣において、上記浮力材に、発信器、胴衣灯、電池等の収容部とし得る凹部を形成してなることを特徴とする。
【０００７】
同請求項３に係るものは、上記目的を達成するために、請求項１または２の救命胴衣において、上記表地や裏地の上記切り欠き部との対応部位に上記切り欠き部に通ずる開口部を形成してなることを特徴とする。
【０００８】
同請求項４に係るものは、上記目的を達成するために、請求項３の救命胴衣において、上記表地や裏地の上記切り欠き部との対応部位にポケット部を設け、該ポケット部内に上記開口部を形成してなることを特徴とする。
【０００９】
同請求項５に係るものは、上記目的を達成するために、請求項２または３の救命胴衣において、上記開口部に、開閉用のジップファスナーを設けたことを特徴とする。
【００１０】
【発明の実施の形態】
以下本発明の実施の形態を図面を参照して説明する。
図１は本発明に係る救命胴衣の一実施形態の正面図（Ａ）及び背面図（Ｂ）である。図示の実施形態の救命胴衣１は、いわゆるベストタイプのもので、防水性、揮水性に優れた合成繊維などからなる表地２と裏地３の間に、軽量なＰＶＣ等からなる浮力材４を挟み、浮力だけでなく防寒性をも兼ね備える構成としたもので、一枚の裏身頃５と一対の前身頃６ａ、６ｂを、バックル７付きのベルト８で連結してベストとしたものである。
【００１１】
裏身頃５は背骨に当たる部位に縦長の開口９が形成してあり、前身頃６ａ、６ｂは、下部にポケット１０を備え、上部に再帰反射材１１を縫い付け、さらに着用した際に着用者の体の左側に来る前身頃６ａには、中央部に呼子１２を入れるポケット１３を縫い付け、再帰反射材１１よりもさらに上側には、浮力材４の内部に後述するように配した発信器１４からのアンテナワイヤ１５を固定するための円形のベルクロテープ１６ａが貼り付けある。また前身頃６ａの裏面側には、アンテナワイヤ１５を固定するためのベルクロテープ１６ｂが貼り付けてある。
【００１２】
発信器１４は、上部にアンテナ端子１７と押しボタン式のスイッチ１８を備え、図２に示すように表地２と裏地３の間に挟んだ浮力材４をくり抜いて凹部４ａを形成してそこに収納してある。表地２と裏地３には、凹部４ａに対応する部位の中央に縦にそれぞれ開口を設けてジップファスナー１９、２０を縫い付け、表地２側からでも裏地３側からでも凹部４ａ内に物や手を出し入れできるようにしてある。そのため発信器１４は、裏地３を介して着用者の身体（一般的には着衣の上からこの救命胴衣１を着るので、具体的には着衣）に近接する。このため、発信器１４が内蔵しまたは一緒に収納する電池が着用者の体温により暖められ、電池の出力特性が向上する。
【００１３】
また本実施形態の救命胴衣１では、ジップファスナー以外の、ベルクロファスナーやボタン等の閉鎖具を用いることも可能であるが、救命胴衣１としての表面をできるだけ平滑にすることや、操作の容易性などを勘案するとジップタイプのものがもっとも好ましいと考えられる。なお表地２につけるジップファスナー１９を発信器１３のスイッチ１８を操作するために開閉するものとすれば、凹部４ａへの発信器１３の出し入れを裏地３側からするものとして、表地２側のジップファスナー１９ａの長さを裏地３側のジップファスナー２０よりも短くし、救命胴衣１表面における平滑性をよりいっそう損なわないようにすることができる。
【００１４】
図３は、上述した実施形態の救命胴衣１を着用した人体（以下、着用者２１という）を上方から見て示す図である。救命胴衣１の厚さ等は誇張して描いてある。たとえば、本実施形態の救命胴衣１を着用した状態で落水し、水中あるいは水上で着用者２１がうつぶせの状態になったとしても、浮力材４のくり抜きによる凹部４ａを一方の前身頃６ａ側だけにしてあることによって着用者２１が受ける浮力ｆ１、ｆ２の大きさが左右で異なり（ｆ１＜ｆ２）、このバランスの悪さによって着用者２１に回転モーメントが掛かり、容易に前面を上に向けるように回転できる。また例えば、落水時のショックで着用者２１が気を失っていても同様である。一般には、落水者にはうねりや波によって外力が掛かるので、着用者２１の身体は浮力の際による回転モーメントともあいまって容易に回転する。そのため、着用者２１がうつぶせの状態で長時間にわたって水中にいる状態をなくすことができ、発信器１４のスイッチ１８の操作などがしやすくなり、着用者２１の安全性、行動性が高まる。
【００１５】
なお、本実施形態では浮力材４をくり抜いて収納するものを発信器としているが、もちろん胴衣灯その他のものであっても良い。またくり抜きを１箇所のみとしているが、これも図示の例には限定されない。
【００１６】
図４は本発明に係る救命胴衣の第２の実施形態の断面図である。本実施形態は、浮力材４に設ける凹部４ｂを有底のものとし、裏地３側に開口を設けてジップファスナー２０を縫い付けて構成したものである。発信器１４の出し入れやスイッチ１８の操作等はすべて裏地３側から行うことになるが、救命胴衣１としての表面の平滑性を高められる。もちろん表地２側にのみ設ける構成としても良い。その場合、平滑性と着用者の体温による温度上昇性は若干悪くなるが、すべての操作を表側からできるので操作性は向上する。
【００１７】
図５は本発明に係る救命胴衣の第３の実施形態の断面図である。本実施形態は、浮力材４に設ける凹部４ｂを有底のものとする点は先の第２実施形態と同様であるが、裏地３にポケット布２２を取り付け、その内部に発信器１４等を入れ、これを凹部４ｂ内へ収納するようにしたものである。このようにすると、ポケットとしての開口２３にジップファスナー等を取り付けないか、あるいは着用者が横方向にファスナーの開閉操作を行うことになり、先の実施形態のような縦方向での開閉操作よりも着用状態では動さがしやすくなる。
【００１８】
なお本発明は、図示の実施形態に示したタイプの救命胴衣にその適用範囲が限定されるものではなく、ジャケットタイプ等種々のタイプの救命胴衣に対して適用可能であり、また救命胴衣と称されていなくても、水上、海上、水辺、海辺で着用されるいろいろな種類の衣服をもその適用範囲に含む。
【００１９】
【発明の効果】
請求項１及び２に係る救命胴衣は、浮力材を切り欠いたことあるいは凹部を形成したことによって生じる着用者の身体両側での浮力差により、落水時に着用者の姿勢の向きが変わりやすくなるという効果がある。
【００２０】
また請求項３及び４に係る救命胴衣は、上記共通の効果に加え、浮力材を切り欠いた部位あるいは凹部に表地や裏地の開口部から発信器、胴衣灯、電池等を容易に収容でき、また発信器や電池の作動、胴衣灯の取り出し等が簡単に行えるようになるという効果がある。
【００２１】
さらに請求項５に係る救命胴衣は、上記共通の効果に加え、突起や引っ掛かりをなくして救命胴衣としての表面の平滑性を高められ、海上、水上作業などにおいて好ましいものになるという効果がある。
【図面の簡単な説明】
【図１】本発明に係る救命胴衣の一実施形態の正面図（Ａ）及び背面図（Ｂ）である。
【図２】同拡大断面図である。
【図３】同着用状態の平面図である。
【図４】本発明に係る救命胴衣の第２の実施形態の断面図である。
【図５】本発明に係る救命胴衣の第３の実施形態の断面図である。
【符号の説明】
１　救命胴衣
２　表地
３　裏地
４　浮力材
４ａ　凹部
５　裏身頃
６ａ、６ｂ　前身頃
７　バックル
８　ベルト
９　開口
１０　ポケット
１１　再帰反射材
１２　呼子
１３　ポケット
１４　発信器
１５　アンテナワイヤ
１６ａ、１６ｂ　ベルクロテープ
１７　アンテナ端子
１８　スイッチ
１９、２０　ジップファスナー
２１　着用者
２２　ポケット布
２３　開口
ｆ１、ｆ２　浮力
【図１】
2004017806.tif 000003
【図２】
2004017806.tif 000004
【図３】
2004017806.tif 000005
【図４】
2004017806.tif 000006
【図５】
2004017806.tif 000007